(57)【要約】【課題】  表示コントローラの発熱が制御手段に伝わり難い表示装置を提供する。【解決手段】  第一の回路基板４０は、表示パネル１０に画像を表示させる表示コントローラ４１を搭載している。第二の回路基板７０は、表示コントローラ４１を制御する制御手段７１を搭載している。ハウジング５０は、第一の回路基板４０及び第二の回路基板７０を収容する。表示コントローラ４１は、第一の熱伝導材４２を介して、ハウジング５０に当接している。配線板３１は、表示パネル１０を照明する照明光を発する発光素子３０を搭載している。配線板３１は、第二の熱伝導材３２を介して、ハウジング５０に当接している。【選択図】  図１
2017191188.tif 000002
【特許請求の範囲】
【請求項１】
表示パネルと、前記表示パネルに画像を表示させる表示コントローラを搭載した第一の回路基板と、前記表示コントローラを制御する制御手段を搭載した第二の回路基板と、前記第一の回路基板及び前記第二の回路基板を収容するハウジングと、を備え、前記表示コントローラは、第一の熱伝導材を介して、前記ハウジングに当接していることを特徴とする表示装置。
【請求項２】
前記表示パネルを照明する照明光を発する発光素子を搭載した配線板を更に備え、前記配線板は、第二の熱伝導材を介して、前記ハウジングに当接していることを特徴とする請求項１に記載の表示装置。
【発明の詳細な説明】
【技術分野】
【０００１】
表示パネルを備えた表示装置に関するものである。
【背景技術】
【０００２】
従来より、透過照明される液晶表示パネルを備えた表示装置が種々提案されており、例えば特許文献１に開示されている。斯かる表示装置は、液晶表示パネルと、この液晶表示パネルを透過照明するバックライトモジュールとをハウジングに収容したものである。液晶表示パネルは、回路基板に搭載された表示コントローラによって駆動され、種々の画像を表示する。バックライトモジュールは、液晶表示パネルの後方に配設された導光板と、この導光板に照明光を照射する発光素子と、を有している。
【先行技術文献】
【特許文献】
【０００３】
【特許文献１】特開２０１５−１５２６８１号公報
【発明の概要】
【発明が解決しようとする課題】
【０００４】
しかしながら、表示コントローラで生じた熱が、表示コントローラを制御するマイコン（制御手段）に伝わり、マイコンの温度が上昇して、マイコンに悪影響を与える虞があった。
本発明は、表示コントローラの発熱が制御手段に伝わり難い表示装置を提供するものである。
【課題を解決するための手段】
【０００５】
本発明は、表示パネル１０と、前記表示パネル１０に画像を表示させる表示コントローラ４１を搭載した第一の回路基板４０と、前記表示コントローラ４１を制御する制御手段７１を搭載した第二の回路基板７０と、前記第一の回路基板４０及び前記第二の回路基板７０を収容するハウジング５０と、を備え、前記表示コントローラ４１は、第一の熱伝導材４２を介して、前記ハウジング５０に当接しているものである。
【０００６】
また、本発明は、前記表示パネル１０を照明する照明光を発する発光素子３０を搭載した配線板３１を更に備え、前記配線板３１は、第二の熱伝導材３２を介して、前記ハウジング５０に当接しているものである。
【発明の効果】
【０００７】
表示コントローラの発熱をハウジング外に放散することができ、表示コントローラの発熱が制御手段に伝わり難くなる。
【図面の簡単な説明】
【０００８】
【図１】本発明の第一実施形態を示す断面図。
【図２】同上実施形態を示す配線板の正面図。
【図３】同上実施形態を示すブロック図。
【図４】本発明の第二実施形態を示す断面図。
【発明を実施するための形態】
【０００９】
以下、添付図面に基づいて、本発明の一実施形態を説明する。図１乃至図３は、第一実施形態を示すものである。車両用表示装置は、液晶表示パネル１０，導光板２０，発光素子３０，回路基板４０，ハウジング５０，中ケース６０，回路基板７０等を備えている。
【００１０】
液晶表示パネル１０は、透明電極が形成された一対のガラス基板に液晶を封入したＴＦＴ型液晶パネルの前後両面に偏光板を貼着したものであり、車両速度，エンジン回転数等の車両情報が画像で表示される。液晶表示パネル１０は、図示しない可撓性配線板によって、回路基板４０と電気的に接続されている。液晶表示パネル１０は、両面粘着テープ１５によって中ケース６０の前面に貼着されている。
【００１１】
導光板２０は、アクリル等の透光性樹脂からなるものであり、平板形状になっている。導光板２０は、液晶表示パネル１０の後面側に配設されている。導光板２０の前後面には、光拡散シート，光反射シート，輝度上昇フィルム等の光学シート２１が配設されている。導光板２０は、中ケース６０に保持され、液晶表示パネル１０と平行になっている。
【００１２】
発光素子３０は、複数の発光ダイオードからなり、導光板２０の側端面２０ａに沿うように列状に配置されている。発光素子３０は、硬質配線板３１に搭載され、導光板２０の側端面２０ａに照明光を発する。発光素子３０が発した照明光は、導光板２０によって液晶表示パネル１０の後面側に導かれる。発光素子３０が搭載された硬質配線板３１は、ハウジング５０のケース体５１に、ビス３によって固定されている。硬質配線板３１とケース体５１の間には、サーマルシート等の熱伝導材３２が配設されている。硬質配線板３１は、配線コード３５にて回路基板７０と電気的に接続されている。
【００１３】
回路基板４０は、ガラスエポキシ樹脂からなる基材に配線パターンを形成したものであり、ハウジング５０に配設されている。回路基板４０の後面には、液晶表示パネル１０を駆動する表示コントローラ４１が搭載されている。表示コントローラ４１は、ＧＤＣ（Graphics Display Controller）或いはＧＰＵ（Graphics Processing Unit）と称されることもある。回路基板４０は、ハウジング５０のケース体５１に収容され、ビス１によって固定されている。回路基板４０は、液晶表示パネル１０，導光板２０，回路基板７０と夫々平行に配置されている。回路基板４０はコネクタ４５を有しており、このコネクタ４５は回路基板７０のコネクタ７５に接続されている。
【００１４】
ハウジング５０は、ケース体５１及び透光性カバー５２を有しており、液晶表示パネル１０，導光板２０，発光素子３０，回路基板４０，中ケース６０，回路基板７０等を収容する。ケース体５１は、マグネシウム，アルミニウム等の金属からなるものである。ケース体５１には突出部５１ｂが形成されており、この突出部５１ｂには、熱伝導材４２が配設されている。回路基板４０に搭載された表示コントローラ４１は、熱伝導材４２を介して、ケース体５１に当接している。表示コントローラ４１が発した熱は、熱伝導材４２を介してケース体５１に伝わり、ケース体５１によって放散される。
【００１５】
ハウジング５０の透光性カバー５２は、アクリル等の透光性樹脂からなるものであり、液晶表示パネル１０の前方に配設されている。液晶表示パネル１０に表示される画像は、透光性カバー５２を透して視認される。透光性カバー５２は、中ケース６０のフランジ部６０ｃを介して、ビス２によってケース体５１に固定されている。
【００１６】
中ケース６０は、白色樹脂からなるものであり、導光板２０を収容する収容部６０ｄを有している。中ケース６０の後方には、ビス４によって回路基板７０が固定されている。中ケース６０には開口部６０ｂが形成されており、発光素子３０が発した照明光は開口部６０ｂを通過して、導光板２０の側端面２０ａに照射される。
【００１７】
回路基板７０は、ガラスエポキシ樹脂からなる基材に配線パターンを形成したものであり、中ケース６０の後面側に配設されている。回路基板７０の後面には、表示コントローラ４１を制御するマイコン７１が搭載されている。回路基板７０は、ハウジング５０のケース体５１に収容され、ビス４によって固定されている。回路基板７０は、液晶表示パネル１０，導光板２０，回路基板３０と夫々平行に配置されている。
【００１８】
図３は、車両用表示装置の電気的構成を示すブロック図である。マイコン７１は、ＣＰＵ７１ａ，不揮発性メモリ７１ｂ，揮発性メモリ７１ｃを有しており、回路基板７０に搭載されている。不揮発性メモリ７１ｂは、例えばフラッシュメモリからなるものであり、揮発性メモリ７１ｃは、例えばＳＤＲＡＭ（Synchronous Dynamic Random Access Memory）からなるものである。
【００１９】
速度センサ９１は、車両速度を検出し、マイコン７１に速度データを出力する。回転センサ９２は、エンジンの回転数を検出し、マイコン７１に回転数データを出力する。マイコン７１は、不揮発性メモリ８２に格納されている所定のプログラムに基づいて、表示コントローラ４１を制御すると共に、発光素子３０を駆動する。表示コントローラ４１は、マイコン７１から出力された制御信号に基づいて、液晶表示パネル１０に画像を表示させる。
【００２０】
図４は、第二実施形態を示すものである。車両用表示装置は、液晶表示パネル１０，導光板２０，発光素子３０，回路基板４０，ハウジング５０，中ケース６０，回路基板７０等を備えている。
【００２１】
液晶表示パネル１０は、透明電極が形成された一対のガラス基板に液晶を封入したＴＦＴ型液晶パネルの前後両面に偏光板を貼着したものであり、車両速度，エンジン回転数等の車両情報が画像で表示される。液晶表示パネル１０は、図示しない可撓性配線板によって、回路基板４０と電気的に接続されている。液晶表示パネル１０は、両面粘着テープ１５によって中ケース６０の前面に貼着されている。
【００２２】
導光板２０は、アクリル等の透光性樹脂からなるものであり、平板形状になっている。導光板２０は、液晶表示パネル１０の後面側に配設されている。導光板２０の前後面には、光拡散シート，光反射シート，輝度上昇フィルム等の光学シート２１が配設されている。導光板２０は、中ケース６０に保持され、液晶表示パネル１０と平行になっている。
【００２３】
発光素子３０は、複数の発光ダイオードからなり、導光板２０の側端面２０ａに沿うように列状に配置されている。発光素子３０は、硬質配線板３１に搭載され、導光板２０の側端面２０ａに照明光を発する。発光素子３０が発した照明光は、導光板２０によって液晶表示パネル１０の後面側に導かれる。発光素子３０が搭載された硬質配線板３１は、ハウジング５０のケース体５１に、ビス３によって固定されている。硬質配線板３１とケース体５１の間には、サーマルシート等の熱伝導材３２が配設されている。硬質配線板３１は、配線コード３５にて回路基板７０と電気的に接続されている。
【００２４】
回路基板４０は、ガラスエポキシ樹脂からなる基材に配線パターンを形成したものであり、ハウジング５０に配設されている。回路基板４０の後面には、液晶表示パネル１０を駆動する表示コントローラ４１が搭載されている。回路基板４０は、ハウジング５０のケース体５１に収容され、ビス１によって固定されている。回路基板４０は、液晶表示パネル１０，導光板２０，回路基板７０と夫々平行に配置されている。回路基板４０はコネクタ４５を有しており、このコネクタ４５は回路基板７０のコネクタ７５に接続されている。
【００２５】
ハウジング５０は、ケース体５１及び透光性カバー５２を有しており、液晶表示パネル１０，導光板２０，発光素子３０，回路基板４０，中ケース６０，回路基板７０等を収容する。ケース体５１は、マグネシウム，アルミニウム等の金属からなるものである。ケース体５１には、放熱フィン５１ａが一体形成されている。ケース体５１には突出部５１ｂが形成されており、この突出部５１ｂには、熱伝導材４２が配設されている。回路基板４０に搭載された表示コントローラ４１は、熱伝導材４２を介して、ケース体５１に当接している。表示コントローラ４１が発した熱は、熱伝導材４２を介してケース体５１に伝わり、ケース体５１によって放散される。
【００２６】
ハウジング５０の透光性カバー５２は、平板状の透光性基材５２ａの後面に遮光層５２ｂを形成したものである。透光性カバー５２の遮光層５２ｂには、矩形の窓部５２ｃが設けられており、この窓部５２ｃから液晶表示パネル１０に表示される画像が視認される。透光性カバー５２は、接着部材５５にてケース体５１及び中ケース６０に固定されている。
【００２７】
中ケース６０は、白色樹脂からなるものであり、導光板２０を収容する収容部６０ｄを有している。中ケース６０の後方には、ビス４によって回路基板７０が固定されている。中ケース６０には開口部６０ｂが形成されており、発光素子３０が発した照明光は開口部６０ｂを通過して、導光板２０の側端面２０ａに照射される。
【００２８】
回路基板７０は、ガラスエポキシ樹脂からなる基材に配線パターンを形成したものであり、中ケース６０の後面側に配設されている。回路基板７０の後面には、表示コントローラ４１を制御するマイコン７１が搭載されている。回路基板７０は、ハウジング５０のケース体５１に収容され、ビス４によって固定されている。回路基板７０は、液晶表示パネル１０，導光板２０，回路基板３０と夫々平行に配置されている。
【００２９】
第一，第二実施形態は、液晶表示パネル（表示パネル）１０と、液晶表示パネル（表示パネル）１０に画像を表示させる表示コントローラ４１を搭載した回路基板（第一の回路基板）４０と、表示コントローラ４１を制御するマイコン（制御手段）７１を搭載した回路基板（第二の回路基板）７０と、回路基板（第一の回路基板）４０及び回路基板（第二の回路基板）７０を収容するハウジング５０と、を備え、表示コントローラ４１は、熱伝導材（第一の熱伝導材）４２を介して、ハウジング５０に当接しているものであり、表示コントローラ４１の発熱をハウジング５０外に放散することができ、表示コントローラ４１の発熱がマイコン（制御手段）７１に伝わり難くなり、且つ、マイコン（制御手段）７１と表示コントローラ４１とを別々の回路基板４０，７０に搭載したことにより、更に表示コントローラ４１の発熱がマイコン（制御手段）７１に伝わり難くなる。
【００３０】
本発明は、第一，第二実施形態に限定されるものではなく、種々の変形が可能である。例えば、第一，第二実施形態では、配線板が硬質配線板３１であったが、可撓性配線板であっても良い。また、第一，第二実施形態では、表示パネルが液晶表示パネル１０であったが、有機ＥＬ表示パネルであっても良い。
【符号の説明】
【００３１】
１０    液晶表示パネル（表示パネル）
２０    導光板
３０    発光素子
３１    硬質配線板（配線板）
３２    熱伝導材（第二の熱伝導材）
４０    回路基板（第一の回路基板）
４１    表示コントローラ
４２    熱伝導材（第一の熱伝導材）
５０    ハウジング
５１    ケース体
６０    中ケース
６０ｂ  開口部
７０    回路基板（第二の回路基板）
７１    マイコン（制御手段）
【図１】
2017191188.tif 000003
【図２】
2017191188.tif 000004
【図３】
2017191188.tif 000005
【図４】
2017191188.tif 000006